(57)【要約】【課題】光ファイバ束の光ファイバの数を容易にかつ正確に算出することのできる光ファイバ束検査装置を提供する。【解決手段】光ファイバ束の各光ファイバの光透過具合を濃度に対応させて示した光ファイバ束の端面の画像情報を格納する画像メモリと、  この画像メモリからの前記画像情報から光ファイバの総数を計測する画像処理手段とを備えてなり、  この画像処理手段は、前記濃度に対応するしきい値を順次変化させることによって前記濃度の全範囲を複数の区分に分ける濃度範囲区分手段と、  変化したしきい値とその変化の前のしきい値の間の濃度区分内にある光ファイバの数を算出する算出手段と、  各濃度区分内における光ファイバの数の合計を得る計測手段と、を備える。【選択図】図１
2007071684.tif 000002
【特許請求の範囲】
【請求項１】
光ファイバ束の各光ファイバの光透過具合を濃度に対応させて示した光ファイバ束の端面の画像情報を格納する画像メモリと、
この画像メモリからの前記画像情報から光ファイバの総数を計測する画像処理手段とを備えてなり、
この画像処理手段は、前記濃度に対応するしきい値を順次変化させることによって前記濃度の全範囲を複数の区分に分ける濃度範囲区分手段と、
変化したしきい値とその変化の前のしきい値の間の濃度区分内にある光ファイバの数を算出する算出手段と、
各濃度区分内における光ファイバの数の合計を得る計測手段と、を備えることを特徴とする光ファイバ束検査装置。
【請求項２】
ディスプレィを有し、
光ファイバ束の各光ファイバの光透過具合を濃度に対応させて示した光ファィバ束の端面の画像情報を格納する画像メモリと、
この画像メモリからの前記画像情報から、前記光ファイバ束の端面を各光ファイバを個別に識別できる光ファイバ束表示と前記各光ファイバのそれぞれに対応する各ファイバ表示を濃度に応じて表示させるグラフ表示とを前記ディスプレィ上にて行う画像処理手段とを備え、
前記画像処理手段は、前記ディスプレィ上で前記グラフ表示のファイバ表示を選択するファイバ表示選択手段と、選択されたファイバ表示に対応する前記光ファイバ束内の光ファイバを他の光ファイバと区別できる表示を行う光ファイバ特定手段とを備えることを特徴とする光ファイバ束検査装置。
【請求項３】
前記グラフ表示は、一の方向に各ファイバ表示を並設させて表示させ、これら各ファイバ表示は前記一の方向と交叉する方向にその濃度に対応した位置に配置されて表示されていることを特徴とする請求項２に記載の光ファイバ束検査装置。
【請求項４】
ディスプレィを有し、
光ファイバ束の各光ファイバの光透過具合を濃度に対応させて示した光ファイバ束の端面の画像情報を格納する画像メモリと、
この画像メモリからの前記画像情報から前記光ファィバ束の端面を各光ファイバを個別に識別できる光ファイバ束表示を前記ディスプレィ上にて行う画像処理手段とを備え、
前記画像処理手段は、前記濃度の範囲内において該濃度に対応する少なくとも２個の数値の入力にともない、前記画像メモリからの前記画像情報の各光ファイバの濃度のうち前記２個の数値の範囲内のものを選択し、かつ、選択された各光ファィバを前記光ファイバ束表示上において他の光ファイバと区別できる表示を行う表示手段を備えることを特徴とする光ファイバ束検査装置。
【請求項５】
前記濃度の範囲内において該濃度に対応する少なくとも２個の数値の入力は、前記ディスプレィ上にて表示されている数値設定欄によって行うことを特徴とする請求項４に記載の光ファイバ束検査装置。
【発明の詳細な説明】
【技術分野】
【０００１】
本発明は光ファイバ束検査装置に係り、たとえば、該光ファイバ束の端面をデジタルカメラ等で撮像し、その撮像情報をコンピュータに取り込んで画像処理を行うことにより該光ファィバ束の特性等を検査する光ファイバ束検査装置に関する。
【背景技術】
【０００２】
近年、光ファイバ束検査装置として、該光ファイバ束の端面をデジタルカメラで撮像し、その撮像情報をコンピュータに取り込んで画像処理を行うようにした構成のものが知られている。
【０００３】
各光ファィバは、年々、極細化するとともにその数が増大していることから、該コンピュータによる画像処理を通して検査することが極めて能率的に検査ができるようになるからである。
【０００４】
たとえば、光ファイバ束の端面を干渉縞とともにディスプレィに表示させ、該干渉縞によって研磨した光ファイバ束の端面の角度が許容範囲内にあるか否かを検査するが如くである。このような光ファイバ束検査装置の詳細は、たとえば下記特許文献１等に開示されている。
【特許文献１】特開２００３−１９４６６７号公報
【発明の開示】
【発明が解決しようとする課題】
【０００５】
しかし、光ファイバ束においてその光ファィバの数は極めて多いことからその数を正確に計測することは極めて困難となり、その計測にあって容易にできることが強く要望されるに至っている。
【０００６】
また、各光ファィバのうちには途中で断線等が生じているものも存在し、このような光ファィバが光ファイバ束においてどの位置に存在するかを容易に認識できることが要望されるに至っている。不良とされる光ファイバを容易に取り除く等することができるからである。
【０００７】
さらに、光ファイバ束を構成する各光ファィバにおいて光の透過性にどのような分布があるかを全体的に把握したいという要望がある。これを把握することにより、たとえば該光ファィバ束を介して得た画像を該分布に応じて補正等ができるようになるからである。
【０００８】
そして、これら要望の解決を示唆する開示は前記特許文献１には開示されていないものとなっている。
【０００９】
したがって、本発明はこのような事情に基づいてなされたものであり、その目的は、光ファイバ束の光ファイバの数を容易にかつ正確に算出することのできる光ファイバ束検査装置を提供することにある。
【００１０】
また、本発明の他の目的は、光ファイバ束の各光ファイバのうちたとえば不良なもの等を容易かつ正確に検出することのできる光ファイバ束検査装置を提供することにある。
【００１１】
さらに、本発明の他の目的は、各光ファイバの光透過具合の分布を容易にかつ正確に把握することのできる光ファイバ束検査装置を提供することにある。
【課題を解決するための手段】
【００１２】
本願において開示される発明のうち、代表的なものの概要を簡単に説明すれば、以下のとおりである。
【００１３】
（１）本発明による光ファイバ束検査装置は、たとえば、光ファイバ束の各光ファイバの光透過具合を濃度に対応させて示した光ファイバ束の端面の画像情報を格納する画像メモリと、
この画像メモリからの前記画像情報から光ファイバの総数を計測する画像処理手段とを備えてなり、
この画像処理手段は、前記濃度に対応するしきい値を順次変化させることによって前記濃度の全範囲を複数の区分に分ける濃度範囲区分手段と、
変化したしきい値とその変化の前のしきい値の間の濃度区分内にある光ファイバの数を算出する算出手段と、
各濃度区分内における光ファイバの数の合計を得る計測手段と、を備えることを特徴とする。
【００１４】
（２）本発明による光ファイバ束検査装置は、たとえば、ディスプレィを有し、
光ファイバ束の各光ファイバの光透過具合を濃度に対応させて示した光ファィバ束の端面の画像情報を格納する画像メモリと、
この画像メモリからの前記画像情報から、前記光ファイバ束の端面を各光ファイバを個別に識別できる光ファイバ束表示と前記各光ファイバのそれぞれに対応する各ファイバ表示を濃度に応じて表示させるグラフ表示とを前記ディスプレィ上にて行う画像処理手段とを備え、
前記画像処理手段は、前記ディスプレィ上で前記グラフ表示のファイバ表示を選択するファイバ表示選択手段と、選択されたファイバ表示に対応する前記光ファイバ束内の光ファイバを他の光ファイバと区別できる表示を行う光ファイバ特定手段とを備えることを特徴とする。
【００１５】
（３）本発明による光ファイバ束検査装置は、たとえば、（２）の構成を前提とし、前記グラフ表示は、一の方向に各ファイバ表示を並設させて表示させ、これら各ファイバ表示は前記一の方向と交叉する方向にその濃度に対応した位置に配置されて表示されていることを特徴とする。
【００１６】
（４）本発明による光ファイバ束検査装置は、たとえば、ディスプレィを有し、
光ファイバ束の各光ファイバの光透過具合を濃度に対応させて示した光ファイバ束の端面の画像情報を格納する画像メモリと、
この画像メモリからの前記画像情報から前記光ファィバ束の端面を各光ファイバを個別に識別できる光ファイバ束表示を前記ディスプレィ上にて行う画像処理手段とを備え、
前記画像処理手段は、前記濃度の範囲内において該濃度に対応する少なくとも２個の数値の入力にともない、前記画像メモリからの前記画像情報の各光ファイバの濃度のうち前記２個の数値の範囲内のものを選択し、かつ、選択された各光ファィバを前記光ファイバ束表示上において他の光ファイバと区別できる表示を行う表示手段を備えることを特徴とする。
【００１７】
（５）本発明による光ファイバ束検査装置は、たとえば、（４）の構成を前提とし、前記濃度の範囲内において該濃度に対応する少なくとも２個の数値の入力は、前記ディスプレィ上にて表示されている数値設定欄によって行うことを特徴とする。
【００１８】
なお、本発明は以上の構成に限定されず、本発明の技術思想を逸脱しない範囲で種々の変更が可能である。
【発明を実施するための最良の形態】
【００１９】
以下、本発明による光ファイバ束検査装置の実施例を図面を用いて説明する。
【００２０】
図２は、本発明による光ファイバ束検査装置の一実施例を示した全体構成図である。
【００２１】
図２において、前記光ファイバ束検査装置は、光源１と、この光源１からの光を集光する集光レンズ２と、この集光レンズ２からの光を一端面側から導く光ファイバ束３と、この光ファイバ束３の他端面側からの光をその方向にそのまま照射させるとともに該方向と直交する方向へ分岐させて照射させる光学系４と、この光学系４に取り付けられ前記光ファイバ束３からの光であってその方向にそのまま照射される光が導かれるデジタルカメラ５と、前記光学系４に取り付けられ前記光ファイバ束３からの光に対して直交する方向へ分岐された光が導かれる観察窓６と、前記デジタルカメラ５からの画像情報を取り込んでその画像処理を行うコンピュータ７とから構成されている。
【００２２】
前記光ファイバ束３は検査対象となるもので、少なくともその他端面側（前記光源１の側とは反対面側）は支持台８に固定されるようになっており、該光ファイバ束３の他端面側からの光が正常に前記光学系４に入射されるようになっている。
【００２３】
なお、前記支持台８は、たとえば、図示しない机上に載置されるように構成され、この支持台８に固定されるアーム８Ａを介して前記光学系４（カメラ５であっても可）をも支持するようになっている。これにより、光ファイバ束３の他端面側からの光は、たとえば、前記机上に対して垂直方向に照射され、該方向上に光学系４およびデジタルカメラ５が順次配置された構成となっている。
【００２４】
前記光学系４は、たとえば、前記光ファイバ束３からの光の照射方向に対して４５°の傾きを有して配置されるハーフミラー４Ａを備え、このハーフミラー４Ａを透過した前記光ファイバ束３からの光は前記デジタルカメラ５の側へ、前記ハーフミラー４Ａを反射した前記光ファイバ束３からの光は前記観察窓６の側へ導かれるように構成されている。光学系４の構成としては、上記のものに限定されることはなく、たとえばハーフミラー４Ａに替えてプリズム等を用いたものであってもよいことはもちろんである。
【００２５】
また、前記コンピュータ７は、ディスプレィ７Ａを備えるとともに、キーボード７Ｂおよびマウス７Ｃ等を用いて操作できるようになっている。
【００２６】
このように構成された光ファイバ束検査装置において、前記光源１からの光は集光レンズ２を介して光ファイバ束３の一端面の側に入射されるようになり、該光は光ファイバ束３の各光ファイバ３ａのそれぞれを透過して該光ファイバ束３の他端面の側から出射されるようになる。
【００２７】
該光ファイバ束３の他端面の側から光は、光学系４内に入射されハーフミラー４Ａに反射して観察窓６に導かれるようになっている。検査技術者はこの観察窓６を通して前記光ファイバ束３の他端面を観察しており、撮影に適すると判断した場合には該光ファイバ束３の他端面をデジタルカメラ５によって撮像できるようになっている。
【００２８】
デジタルカメラ５によって撮像された前記光ファイバ束３の他端面の画像情報は、コンピュータ７が備える画像メモリ（後の説明において符号７１で示す）に格納され、この画像メモリに格納された画像情報に基づいて、キーボード７Ｂあるいはマウス７Ｃの操作によって、次に説明する表示がコンピュータ７のディスプレィ７Ａ上になされるようになっている。
【００２９】
図３および図４は前記コンピュータ７のディスプレィ７Ａにおける表示態様の一実施例を示す説明図である。
【００３０】
まず、図３は、ディスプレィ７Ａ面の一部に光ファイバの本数表示用のボタンＢ１と各光ファイバの濃度グラフ表示用のボタンＢ２とが表示され、操作者はマウス７Ｃを用いて前記ボタンＢ１上にポインタＰＴを位置づけ該ボタンＢ１を選択した場合の画像面を示している。
【００３１】
該画像面には光ファイバ束３が各光ファイバ３ａを個別に識別できるようにして表示されている。該光ファイバ束３は、前記画像メモリに格納された画像情報に基づいて表示される画像であり、各光ファイバ３ａは濃度の分布をもって表示されている。各光ファイバ３ａのそれぞれからの光の透過具合が濃度差となって表示されるからである。図３では、光の透過量が程度的に最も多い光ファイバ３ａはその断面を真白で、光の透過量が減少するにつれ白味が減り黒味を増した色で、光の透過量が程度的に最も少ない光ファイバ３ａは真黒で示されている。
【００３２】
そして、前記光ファイバ束３の表示に隣接してファイバ数表示Ｂ３がなされ、図３の場合、このファイバ数はたとえば８８７本というように表示されている。このファイバ数表示Ｂ３の８８７本は、図３において簡略的に示した前記光ファイバ束３の光ファイバ３ａの数とは異なるものであるが、実際には該光ファイバ３ａの数を示している。また、このファイバ数表示Ｂ３におけるファイバ数は前記コンピュータ７における後述の演算処理の結果に基づいて表示されるようになっている。
【００３３】
また、図３において操作者がマウス７Ｃを用いて、光ファイバの濃度グラフ表示用の前記ボタンＢ２を選択した場合の画像面を図４に示している。図４において、その画像面には光ファイバの濃度グラフ表示Ｂ４とともに光ファィバ束３が各光ファイバ３ａの位置を識別できるように表示されている。この段階では、この光ファィバ束３の表示は、図３に示した光ファィバ束３の表示と異なり、各光ファィバ３ａは光ファイバ束３に対する位置のみが明確となっているだけで、濃度の表示はなされていないものとなっている。
【００３４】
光ファイバの濃度グラフ表示Ｂ４は、その横軸上にファイバ番号に対応して各光ファイバ３ａを示すファイバ表示１０が並設して表示されているとともに、これら各ファイバ表示１０はそれに対応する光ファイバ３ａの濃度に応じて縦軸上の位置に配置されて表示されたものとなっている。
【００３５】
このため、この濃度グラフ表示Ｂ４を観測することにより、各光ファイバ３ａにおける濃度分布が一目瞭然的に把握できるようになる。この場合、濃度グラフ表示Ｂ４の各ファイバ表示１０の中には、他の多数のファイバ表示１０に対して濃度が極端に小さく表示されるファイバ表示１０ｘが存在することがある。このファイバ表示１０ｘに対応づけられる光ファイバ３ａは光源１からの光が光学系４にまで伝達されておらず断線している可能性があることを意味する。
【００３６】
操作者はマウス７Ｃを用いて、画像面内のポインタＰＴを前記ファィバ表示１０ｘ上に位置づけ、該ファィバ表示１０ｘを選択することにより、光ファイバ束３を構成する各光ファイバ３ａのうちの一つである光ファィバ３ｘにたとえば色（たとえば赤色）が付されて表示されるようになっている。この色が付された光ファィバ３ｘは、濃度グラフ表示Ｂ４におけるファイバ表示１０ｘであって、このファイバ表示１０ｘの特定によって断線された光ファイバ３ｘの位置が容易に認識できるようになる。
【００３７】
なお、図４では、選択されたファイバ表示１０ｘに対応する光ファイバ３ｘは色が付されて他の光ファィバ３ａと区別されるようにしたものである。しかし、他の方法によって他の光ファイバ３ａと区別するうようにしてもよいことはいうまでもない。
【００３８】
次に、図３に示したように光ファィバ束３における光ファイバ３ａの総数の検出におけるコンピュータ７の演算処理における構成を説明するに先立って、まず、図５を用いて該演算処理の手順を観念的に説明をする。理解を容易にするためである。
【００３９】
すなわち、図５（ａ）はコンピュータ７の画像メモリに格納された画像情報で、光ファイバ束３の他端面における画像に対応したものである。また、図３のディスプレィ７Ａに表示された光ファイバ束３の画像にも対応するもので、同画像は該光ファイバ束３を構成する多数の各光ファイバ３ａのそれぞれからの光の照射具合を濃度差によって表わされている。。
【００４０】
この濃度差は、たとえば図５（ａ）に示した光ファイバ束３の場合、図中Ａ方向に向かって光の透過量（濃度）が少なくなるという分布を呈している。図６は、実際に用いられる光ファィバ束３とこの光ファイバ束３の径方向における光の透過量（平均濃度）を検出したグラフを示しており、該径方向の一端側から他端側にかけて前記平均濃度ＤＤがほぼ線形に変化していることが確かめられる。これは、たとえば、図２の光ファイバ束検査装置の構成において、検査対象となる光ファイバ束３の該装置への精度よい設置の困難性から、光源１の光軸と光ファイバ束３の光軸のずれ、あるいは光ファイバ束３の光軸と光学系４の光軸のずれ等が発生してしまうこと等が原因となっている。
【００４１】
このため、本発明では、前記図６から前記グラフのみを抽出した図である図７に示すように、各光ファイバ３ａのそれぞれが示す濃度の範囲を複数に区分けし（ｔ１、ｔ２、……、ｔ７）、これにより得られる各区分の濃度範囲（ｔ１〜ｔ２、ｔ２〜ｔ３、……、ｔ６〜ｔ７）ごとに、その濃度範囲内の濃度を呈する光ファイバ３ａを抽出し、その抽出された光ファイバ３ａの総数を計測するとともに、各区分における光ファイバ３ａの総数を合計することにより、光ファイバ束３を構成する光ファイバ３ａの本数を算出するようにしたものである。
【００４２】
図５（ｂ）は、図５（ａ）に示した光ファイバ束３の濃度分布に対して、濃度の範囲をたとえば６つに区分けし、その数に応じて（I）〜（VI）の行程からなる各操作がなされるようになっている。（I）の行程では、光の透過量が程度的に最も多い光ファイバ３ａ１が抽出され、その抽出された光ファイバ３ａ１の総数３個が計測される。次に、（II）の行程では、光の透過量が程度的に次に多い光ファイバ３ａ２が抽出され、その抽出された光ファイバ３ａ２の総数６個が計測される。そして、この総数６個に前行程の総数３個が加算されて９個の合計値を得る。次に、（III）の行程では、光の透過量が程度的に次に多い光ファイバ３ａ３が抽出され、その抽出された光ファイバ３ａ３の総数８個が計測される。そして、この総数８個に前行程の合計値９個が加算されて１７個の合計値を得る。次に、（IV）の行程では、光の透過量が程度的に次に多い光ファイバ３ａ４が抽出され、その抽出された光ファイバ３ａ４の総数４個が計測される。そして、この総数４個に前行程の合計値１７個が加算されて２１個の合計値を得る。さらに、（V）の行程では、光の透過量が程度的に次に多い光ファイバ３ａ５が抽出され、その抽出された光ファイバ３ａ５の総数７個が計測される。そして、この総数７個に前行程の合計値２１個が加算されて２８個の合計値を得る。そして、（VI）の行程では、光の透過量が程度的に最も少ない光ファイバ３ａ６が抽出され、その抽出された光ファイバ３ａ６の総数３個が計測される。そして、この総数３個に前行程の合計値２８個が加算されて３１個の合計値を得る。この３１個は、簡略的に示された光ファイバ束３を構成する光ファイバ３ａの本数であるが、図３のディスプレィ７Ａに表示されるファイバ数表示Ｂ３の８８７本に相当するものである。
【００４３】
なお、図５における説明では、光ファイバ束３は、その光ファイバ３ａの濃度分布において図５（ａ）の矢印Ａの方向に沿って濃度が小さくなっているものを対象としたものである。しかし、これに限定されることはなく、前記濃度分布がどのようなものであっても同様に適用され、各光ファイバ３ａの総数が演算できることはいうまでもない。
【００４４】
そして、このようにして行われるファイバ数の検出は、前記コンピュータ７において図１に示す処理手順を経ることによってなされるようになっている。以下、コンピュータ７の動作を図１を用いてステップ順に説明をする。
【００４５】
ステップ１（Ｓ１）：まず、しきい値をたとえば図２に示したキーボード７Ｂを介して入力する。このしきい値は画像の濃度に対応するもので、最初、たとえば比較的大きな値に設定される。そして、この設定されたしきい値は以下の動作において初期値となるものである。
【００４６】
ステップ２（Ｓ２）：コンピュータ７のメモリに格納されている画像情報（図５（ａ）に示す画像情報に対応する）をピクセル毎に読み出し、周知の画像処理技術により、前記しきい値を超える陰影（濃度）を有する光ファイバ３ａを抽出し、これら抽出された各ファイバの重心を算出する。ここでの動作は、図５（ｂ）に示した行程のうち（I）に相当するもので、各光ファイバ３ａ１が抽出され、かつ、これら各光ファィバ３ａ１の重心の座標が算出される。
【００４７】
ステップ３（Ｓ３）：前記ステップ２によって、抽出された光ファィバ３ａ１の数を算出する。
【００４８】
ステップ４（Ｓ４）：前記ステップ２にて抽出された光ファイバ３ａ１のそれぞれの陰影領域に前記しきい値範囲外の値（濃度に対応する値）を格納する。このようにするのは、後に示すように前記しきい値を減算させて同様の動作を繰り返す場合にて、再度、光ファイバ３ａ１が加算されてしまうのを回避するためである。
【００４９】
ステップ５（Ｓ５）：前記しきい値（初期値）から一定値を引き、新たなしきい値が設定される。なお、この一定値は、図７において各光ファイバ３ａのそれぞれが示す濃度の範囲を区分けした各区分の濃度範囲に相当する値であり、任意に設定できる値である。
【００５０】
ステップ６（Ｓ６）：全ての光ファイバ３ａの抽出が終了したか否かを判定する。
【００５１】
光ファイバ３ａの抽出が終了していない場合、新たに設定されたしきい値に基づいて、再び、前記ステップ２（Ｓ２）、ステップ３（Ｓ３）を経る動作がなされるようになる。ここで、このステップ２（Ｓ２）、ステップ３（Ｓ３）では、図５（ｂ）に示した行程のうち（II)に相当するものである。
【００５２】
ここで、光ファイバ３ａ２の数が計数され、この数は前記光ファイバ３ａ１の数に加算されるようになる。
【００５３】
このような動作は、光ファイバ３ａを全て抽出されるまで、すなわち図５（ｂ）に示す行程（VI）に至るまでなされ、前記光ファイバ３ａの合計値が算出されるようになる。光ファイバの抽出が終了したか否かは、たとえば、ステップ４（Ｓ４）で得られる値が前回にて得られた値に対して変化がないことを検出することによって容易に判断できる。
【００５４】
なお、ステップ１（Ｓ１）で入力するしきい値は比較的大きな値で設定したものである。しかし、比較的小さな値で設定するようにしてもよいことはいうまでもない。光ファィバ３ａを濃度の高い側から計数するか、濃度の低い側から計数するかの相違があるにすぎないからである。そして、このしきい値の変化は一定としたものであるが、たとえば濃度の変化の程度に応じて可変できるようにしてもよいことはいうまでもない。さらに、この実施例では、最初に、操作者がしきい値を設定し、その値を入力するように構成したものである。しかし、これに限定されることはなく、予め装置に入力された値として用いてもよいことはいうまでもない。このしきい値はたとえば比較的大きな値に設定しておけば上述した動作がなされ、かつ、おおよその値として予め決定し得るからである。
【００５５】
図８は前記コンピュータ７のディスプレィ７Ａにおける表示態様の他の実施例を示す説明図である。
【００５６】
図８において、ディスプレィ７Ａ面には、光ファイバ束３が各光ファイバ３ａをそれぞれ個別に認識できるように表示されている。これら各光ファイバ３ａは濃度に対応する輝度で示され、該濃度の相違はこの場合たとえば３種類の表示として示されている。すなわち、ディスプレィ７Ａ内の凡例表示Ｂ６に示されているように、最も濃度の明るいたとえば白色表示Ｉｗ、中程度の濃度であるたとえば灰色表示Ｉｇ、最も濃度の暗いたとえば黒色表示Ｉｂとして区分され、かつ、白色表示Ｉｗの場合はその濃度がＰ２％以上、灰色表示Ｉｇの場合はその濃度がＰ１％〜Ｐ２％の範囲内、黒色表示Ｉｂの場合はその濃度がＰ１％以下として設定されている。なお、濃度の相違を示す表示は、上述のように、白色、灰色、黒色に限定されることはなく、他の色を用いた色分けであってもよいことはいうまでもない。要はそれらが区別できればよいからである。
【００５７】
そして、前記Ｐ２の実際の値は数値設定欄ＮＣ２において、前記Ｐ１の実際の値は数値設定欄ＮＣ１において、それぞれ、マウス７Ｃの操作とキーボード７Ｂからの数値の入力によって任意に変更できるようになっている。
【００５８】
光ファイバ束３における各光ファィバ３ａの計測された濃度は実際には広い範囲（レンジ）内で予め定められているが、図１０に示すように、該濃度の範囲を該濃度の高い側から３つの各区分Ｓｈ、Ｓｍ、Ｓｌに分け、これらの各区分Ｓｈ、Ｓｍ、Ｓｌに属する光ファイバ３ａの数の割合を一目瞭然的に明確にしようとするものである。通常、真ん中の濃度範囲Ｓｍ内に属する光ファイバの３ａの数が多い程、光ファイバ束３の製品としての信頼性が高くなることから、図９のＰ２、Ｐ１の値を適当とする値に設定することにより、すなわち、前記濃度範囲Ｓｍの上限値および下限値を適当とする値に設定することにより、最適な濃度分布を備える光ファイバ束３を選出（たとえば合格品の選出）することができるようになる。
【００５９】
また、図８に示したディスプレィ７Ａにおける表示とマウス７Ｃの操作にともなって変化する表示にあっては、図１０に示すコンピュータ７内の動作によってなされるようになっている。
【００６０】
図１０において、デジタルカメラ５から送出される画像情報が格納される画像メモリ７１があり、通常の状態では、この画像メモリ７１の画像情報は合成器７５を介してディスプレィ７Ａに表示されている。また、この画像メモリ７１からの画像情報は、光ファイバの座標（重心）と濃度の検出手段７３に送出されるようになっている。
【００６１】
一方、マウス７Ｃがあり、このマウス７Ｃの操作にともなう濃度の分類設定手段８１により、濃度の分類がなされるようになっている。図８にて説明したＰ２、Ｐ１の具体的数値が設定されることを意味する。
【００６２】
そして、分類に応じた濃度の設定手段８２によって、最初に光ファイバ束３の各光ファイバ３ａごとに設定されていた濃度が、前記濃度の分類設定手段８１にて設定された分類のうちどの分類に属するかが決定されるようになっている。すなわち、各光ファイバ３ａの濃度が、図１０に示した濃度範囲Ｓｈ、Ｓｍ、Ｓｌのいずれに属するかが決定されるようになっている。
【００６３】
そして、各光ファィバ３ａにおける濃度を、濃度の変更手段８３によって、図９に示した凡例表示Ｂ６に示された濃度に表示変更を行い、これによって得られる濃度の変更表示を合成器７５を介してディスプレィ７Ａに表示するようになっている。
【００６４】
上述した実施例では、デジタルカメラ５によって得られた画像情報をコンピュータ７を用いて画像処理した構成としたものであるが、該コンピュータ７に代える演算装置および表示器等をこの光ファイバ束検査装置に専ら用いられる専用器として構成し、上述したと同様な機能をもたせるようにしてもよいことはもちろんである。
【００６５】
また、デジタルカメラ５に代えて個体撮像素子を用い、この個体撮像素子から得られる画像情報を前記コンピュータ７あるいは演算装置等により処理するようにしてもよいことはいうまでもない。
【００６６】
上述した各実施例はそれぞれ単独に、あるいは組み合わせて用いても良い。それぞれの実施例での効果を単独であるいは相乗して奏することができるからである。
【図面の簡単な説明】
【００６７】
【図１】本発明による光ファイバ束検査装置に備えられるコンピュータの動作の一実施例を示すフロー図である。
【図２】本発明による光ファイバ束検査装置の一実施例を示す全体構成図である。
【図３】本発明による光ファイバ束検査装置のディスプレィにおける表示態様の一実施例を示す説明図である。
【図４】本発明による光ファイバ束検査装置のディスプレィにおける表示態様の他の実施例を示す説明図である。
【図５】図１に示した動作を図を用いて観念的に示した説明図である。
【図６】光ファイバ束における各光ファイバの光照射具合を濃度分布として示した説明図である。
【図７】光ファイバ束における光ファイバの数の計測を分割された濃度範囲内で順次繰り返すことを示した図である。
【図８】本発明による光ファイバ束検査装置のディスプレィにおける表示態様の他の実施例を示す説明図である。
【図９】図８に示した表示態様において濃度表示の分類を行うことを示す説明図である。
【図１０】本発明による光ファイバ束検査装置に備えられるコンピュータの動作の他の実施例を示すブロック図である。
【符号の説明】
【００６８】
１……光源、３……光ファイバ束、３ａ……光ファイバ、４……光学系、４Ａ……ハーフミラー、５……デジタルカメラ、７……コンピュータ、７Ａ……ディスプレィ、７Ｂ……キーボード、７Ｃ……マウス、Ｂ１……本数表示用のボタン、Ｂ２……濃度グラフ表示用のボタン、Ｂ３……ファイバ数表示、ＰＴ……ポインタ、Ｂ４……濃度グラフ表示、１０ｘ……ファイバ表示、Ｂ６……凡例表示、Ｉｗ……白色表示、Ｉｇ……灰色表示、Ｉｂ……黒色表示、ＮＣ１、ＮＣ２……数値設定欄。
【図１】
2007071684.tif 000003
【図２】
2007071684.tif 000004
【図３】
2007071684.tif 000005
【図４】
2007071684.tif 000006
【図５】
2007071684.tif 000007
【図６】
2007071684.tif 000008
【図７】
2007071684.tif 000009
【図８】
2007071684.tif 000010
【図９】
2007071684.tif 000011
【図１０】
2007071684.tif 000012